(57)【要約】      （修正有）【課題】座部に布ばねを使用した椅子の座であって、その上面にクッション材及び表装材を簡単に設けることができ、かつその端部が座部から抜け出したり、表面に露出しないようにした椅子の座構造を提供する。【解決手段】座本体部１１の基板１６は、布ばね１７を張設し周縁にスリットを設けた開口部を有し、外周辺には取付部が有る。上記開口部と取付部の間には差込溝１８が有る。座クッション部１２は、周辺に上記差込溝に差込可能な差込片３１を設けた保持枠３２を有する。保持枠の上面には、クッション材３４及び表装材３５が有り、上記差込片３１の外周から裏面側に回り込んで保持枠３２に固定される。座本体部と座クッション部は、スリットよりも外周辺側に設けた連結部で締着され、差込溝１８の溝底と差込片３１の先端間で圧着される。【選択図】図９
0003220941.tif 000002
【実用新案登録請求の範囲】
【請求項１】
椅子の座枠に取り付ける座本体部と該座本体部の上面に設けられる座クッション部を具備し、座本体部は、中央に開口部を形成し該開口部の周縁にスリットを設けて易可撓性区帯を形成し外周辺に座枠に嵌着する取付部を形成した基板と、基板の開口部に張設した布ばねと、上記開口部と取付部の間の基板に形成した差込溝を有し、上記座クッション部は中央部を開口し周辺に上記差込溝に差込可能な差込片を設けた保持枠と、該保持枠の上面に重ね合されるクッション材及び表装材を有し、上記クッション材及び表装材の周縁部を上記差込片の外周から裏面側に回し込んで保持枠に固定し、上記座クッション部の差込片を座クッション部の差込溝に差し込み、上記表装材及びクッション材の端部を上記差込溝の溝底と差込片間で圧着するよう上記座クッション部と上記座本体部を、上記易可撓性区帯よりも外周辺側に設けた連結部で締着したことを特徴とする椅子の座構造。
【請求項２】
上記差込片は保持枠から略Ｌ字状に屈曲し、上記連結部は保持枠から下方に突出する取付筒と、該取付筒が挿入するよう基板に設けた受入筒を有し、基板の裏面側から上記取付筒にねじ着される取付ねじを含む請求項１に記載の椅子の座構造。
【請求項３】
上記座クッション部の保持枠には段部が形成され、該段部は座クッション部を座本体部に載置した際、上記差込溝を形成する肩部に係合することを特徴とする請求項１に記載の座構造。
【考案の詳細な説明】
【技術分野】
【０００１】
本考案は、着座部分に布ばね(弾性シート)を使用した椅子の座構造に関する。
【背景技術】
【０００２】
椅子の座部を構成する基板に開口部を設け、この開口部に布ばね(弾性シート)を張設した椅子の座の構造が知られている (例えば特許文献１参照)。また、通常の椅子は、座部の表面にクッション材や表装材を設けてあるが、この表装材等は、端部を座部の裏面側にまわしてタッカー針で固定したり、木目込みにより座部の周辺に溝部を設けてこの溝部に端部を差し込んで表面から端部が見えないように取り付けられている(例えば特許文献２参照)。
【０００３】
上記のように、基板の開口部に張設した布ばねは、着座したとき布ばねが下方に弾性的にたわんで荷重を支持する構成であるから、開口部の周縁が撓みにくい材料で形成されていると、不快感があり、この周縁部で布ばねが引っ張られて破損を生じることがある。特許文献１の椅子では、開口部の周縁に易可撓性区帯を設けてその上面を布ばねで覆い、その上にクッション材や表装材を重ね、易可撓性区帯を形成した基板にタッカー針で固定しているから、これらの部材も易可撓性区帯が撓むことにより布ばねとともに下方に押し込まれる。この際、表装材やクッション材は開口部に対向する中心部が下方向に強く引かれ、周辺部が引っ張られ、タッカー針で固定した端部に直接引張力が作用するので、タッカー針から外れたり、溝部から端部が抜き出て露出するおそれがある。
【０００４】
また、椅子の表装材が破れたり、汚れたり、雰囲気を変更したいときには、表装材を張り替えればよいが、従来の椅子では交換することができなかったり、作業が非常に面倒で素人には簡単に張り替えできない場合が多い。
【先行技術文献】
【特許文献】
【０００５】
【特許文献１】特開２０１２−１１５３８２号公報（段落００１５、図６）
【特許文献２】特開２００３−３３２６０号公報（段落００２２、００２３図７、図８）
【考案の概要】
【考案が解決しようとする課題】
【０００６】
本考案の解決課題は、座部の開口部を布ばねで覆い、該開口部の周縁に易可撓性区帯を設けた椅子において、布ばねの上にクッション材や表装材を簡単にかつ緩んだり端部が外れたりしないように設けることができ、表装材等を取り換える際には簡単に交換することができるようにした椅子の座構造を提供することである。
【課題を解決するための手段】
【０００７】
本考案によれば、椅子の座枠に取り付ける座本体部と該座本体部の上面に設けられる座クッション部を具備し、座本体部は、中央に開口部を形成し該開口部の周縁にスリットを設けて易可撓性区帯を形成し外周辺に座枠に嵌着する取付部を形成した基板と、基板の開口部に張設した布ばねと、上記開口部と取付部の間の基板に形成した差込溝を有し、上記座クッション部は中央部を開口し周辺に上記差込溝に差込可能な差込片を設けた保持枠と、該保持枠の上面に重ね合されるクッション材及び表装材を有し、上記クッション材及び表装材の周縁部を上記差込片の外周から裏面側に回し込んで保持枠に固定し、上記座クッション部の差込片を座クッション部の差込溝に差し込み、上記表装材及びクッション材の端部を上記差込溝の溝底と差込片間で圧着するよう上記座クッション部と上記座本体部を、上記易可撓性区帯よりも外周辺側に設けた連結部で締着したことを特徴とする椅子の座構造が提供され、上記課題が解決される。
【０００８】
また、本考案によれば、上記座クッション部の保持枠には段部が形成され、該段部は座クッション部を座本体部に載置した際、上記差込溝を形成する肩部に係合することを特徴とする上記椅子の座構造が提供される。
【考案の効果】
【０００９】
本考案は、本考案の椅子の座構造は、上記のように構成され、椅子の座枠に取り付ける座本体部と該座本体部の上面に設けられる座クッション部を具備する。上記座本体部は、中央に開口部を形成し該開口部の周縁にスリットを設けて易可撓性区帯を形成し外周辺に座枠に嵌着する取付部を形成した基板と、基板の開口部に張設した布ばねと、上記開口部と取付部の間の基板に形成された差込溝を有する。上記座クッション部は中央部を開口し周辺に上記差込溝に差込可能な差込片を設けた保持枠と、該保持枠の上面に重ね合されるクッション材及び表装材を有する。上記クッション材及び表装材の周縁部は、上記差込片の外周から裏面側に回り込んでタッカー針等の止着具で保持枠に固定されている。上記座クッション部の差込片は、座クッション部の差込溝に差し込まれ、上記表装材及びクッション材の端部を上記差込溝の溝底と差込片の先端間で圧着するよう上記座クッション部は、上記座本体部の易可撓性区帯よりも外周辺側に設けた連結部で上記座本体部に取付ねじにより締着されている。この構成により、座本体部の上面に存する表装材やクッション材は座部にぴっちりと張り渡され、布ばねの上に簡単に設けることができ、かつ見栄えがよい。そして、着座した際、開口部の周縁に易可撓性区帯を設けてあるので布ばねとともに開口部の周縁が凹み、クッション材及び表装材も下方に押圧されて開口部の周縁に沿って撓むので着座しやすい。その上、易可撓性区帯よりも外周辺側に設けた連結部で座本体部を座クッション部を締着しているから連結部の座本体部は撓みにくくなり、クッション材及び表装材の端部は、差込溝の溝底と差込片の先端間で確実に圧着された状態を維持し、タッカー針等の止着具で固定した周縁部に伝わる引張力を緩和することができる。したがって、端部が簡単に差込溝から引き出されるおそれがなく、外観がみだれることがない。経年変化や使用により表装材が汚染等されたら、座クッション部を固定している取付ねじを外せば、座クッション部を座本体部から簡単に取り外し、新しい座クッション部に交換することができ、座クッション部の端部を固定しているタッカー針を抜くことで新しい表装材やクッション材に交換することができる。
【００１０】
また、上記座クッション部の保持枠に段部を形成し、座クッション部を座本体部に載置した際、上記段部が上記差込溝を形成する肩部に係合するようにすると、座クッション部を座本体部の上面に正確に位置決めして載置することができ、上記差込溝と差込片による表装材やクッション材の端部の圧着が確実になる。
【図面の簡単な説明】
【００１１】
【図１】本考案の一実施例を示す椅子の斜視図。
【図２】分解斜視図。
【図３】座本体部の一部の拡大断面図。
【図４】座本体部の底面図。
【図５】座クッション部の一部の拡大断面図。
【図６】座クッション部の底面図。
【図７】座本体部に座クッション部を組み込んだ状態の底面図。
【図８】座本体部に座クッション部を組み込んだ状態の一部の拡大断面図。
【図９】座部両側及び後方ステー側での座本体部と座クッション部の連結部の拡大断面図。
【図１０】座クッション部を組み込んだ前脚ステー側の座本体部の前部の拡大断面図。
【図１１】座クッション部を組み込んだ座本体部を後方ステーに取り付ける部分の拡大断面図。
【考案を実施するための形態】
【００１２】
本考案の一実施例を示す図１、図２を参照し、椅子本体１は、前脚２、前脚２の上部に連続して形成され座部３を支持する座枠４、座枠４の後端に連結され上下方に延びる後脚５、後脚５の上端に形成された背部６、前脚、後脚の下端部を連絡する底部枠７を有しているが、本考案は実施例に示す椅子の他に各種の椅子に適応することができる。上記座枠４には、左右の座枠を連結するステーが設けられており、座部の前方に存する前方ステー８は、山形状に屈曲した金属板材料で構成され、後方に存する後方ステー９は丸パイプ材料で構成され、また前脚間を連結する前脚ステー１０も丸パイプ材料で構成され、いずれもその両端を左右の座枠や前脚に溶接してある。
【００１３】
上記座部３は、座枠４に取り付ける座本体部１１と、該座本体部１１の上面に設けられる座クッション部１２で構成されている。該座本体部１１は、基板本体１３の中央に開口部１４を形成し座枠に嵌着する取付部１５を外周辺に形成した基板１６と、上記開口部１４に張設した布ばね(弾性シート)１７と、上記開口部１４と取付部１５の間の基板に形成された差込溝１８を有する。上記基板本体１３には、開口部１４の周縁に沿って複数の長溝状のスリット１９を設けてあり、これにより布ばね１７が開口部１４内に凹むとき該開口部１４の周縁が容易にたわむことができる易可撓性区帯が形成されている。上記布ばね１７は基板１６を射出成形する際、開口部を成形する部分を覆う状態にキャビティ内に張り渡しておくことにより、周辺が基板１６に一体的に固定される。上記基板本体１３は、上記前脚ステー１０を覆うように前部が下方に湾曲している。
【００１４】
上記左右の座枠４及び後方ステー９に対応するよう基板の外周辺に設けた取付部１５は、座枠４及び後方ステー９に嵌着する略倒Ｕ字状に形成され(図３参照)、取付部の内側面には座枠や後方ステーに弾性的に圧着するよう内方に突出する複数の圧着片が設けられている(図９参照)。また、前脚ステー１０に対応する取付部は、該前脚ステー１０に載置されるよう略倒Ｌ字状に形成されている(図１０参照)。上記座枠４及び後方ステー９に対応する差込溝１８は図３に示すように、上記取付部１５に連続する起立部２０と、起立部１０の下端に連続する溝底部２１と、溝底部２１から傾斜して起立する傾斜部２２で構成され、該傾斜部２２は肩部２３を介して布ばね１７を設けた基板本体１３に連続している。図１０を参照し、前脚ステー１０に対応する差込溝１８は、取付部１５に連続する前面起立部２４と、前面起立部２４の下端に連続する前面溝底部２５と、湾曲する基板本体１３の前部に連続して延びる内方起立部２６で構成されている。なお、上記前方ステー８に対応する基板本体１３の裏面には、図１０に示すように、上記前方ステー８の前縁２７が入り込む間隙をあけて下部に延び下端が後方に傾斜している係止片２８が設けられ、該係止片２８は座本体部１１を座枠４に装着した際、上記前方ステー８の屈曲縁２９に当接する。  
【００１５】
上記座クッション部１２は、中央に開口部３３を設けた保持枠本体３０の周辺を略Ｌ字状に屈曲させて上記差込溝１８に差込可能な差込片３１を設けた保持枠３２と、該保持枠３２の上面に重ね合されるクッション材３４及び表装材３５を有している。上記保持枠３２に形成する開口部３３は上記基板１６に形成した開口部１４と同じ大きさでもよいが、好ましくは保持枠３２に形成する開口部３３を、基板１６の開口部１４よりも大きく設けてある。上記差込片３１は上記差込溝１８の溝底部２１にほぼ直交するように保持枠本体３０から下方に屈曲しており、座枠３及び後方ステー９に対向する側の保持枠本体１０の裏面には、上記基板本体１３の肩部２３に係合する段部３６が形成されている。
【００１６】
上記クッション材３４及び表装材３５は、上記保持枠本体３０を十分に覆う大きさに形成され、周辺部を上記差込片３１の外周を包んで保持枠本体３０の内方の裏面側に回し込み、タッカー針等の止着具３７で固定されている。
【００１７】
上記後方ステー９には、図１１に示すように、前方に向けて略Ｌ字状に屈曲し起立部３８にねじ孔３９を設けた取付片４０を溶接等により固着してある。座本体部１１を座枠４に載置した際、この取付片４０の起立部３８に対向するよう上記基板本体１３には取付孔４１を有する基板取付片４２が設けられている。
【００１８】
上記座本体部１１と座クッション部１２には、両者を着脱可能にねじ着する連結部が設けられている。図に示す実施例において、この連結部は、図４、図７に示すように、上記座本体部の開口部の周縁に設けたスリットよりも外周辺側に位置しており、座部の前部、両側、後部に数か所、図に示す実施例では７か所に設けられ、図９に示すように、保持枠３２に下方に突出する取付筒４３を設け、この取付筒４３が挿入するよう基板１６に受入筒４４を形成し、裏面側から取付ねじ４５を挿入し、座クッション部１２を着脱可能に座本体部１１に締着している。このように、連結部は座本体部の撓みにくい箇所に設けられ、クッション材３４と表装材３５の端部を、差込片３１の先端と、差込溝１８の底部間で確実に圧着することができる。このとき、図９に示すように、差込片３１側の保持枠本体３０と受入筒４４の間に隙間が生じるような寸法に受入筒４４の長さを定めておくと、差込片３１側の外縁の上下動を阻害しにくくなり、表装材等の端部を弾性的に把持して一層確実に圧着することができる。
【００１９】
上記のように座本体部１１と座クッション部１２を連結したら、座枠４に上記取付部１５を嵌着し、係止片２８と基板本体間に形成した隙間に前方ステー８の前縁２７を挿入するとともに係止片２８を前方ステー８に当接させ、かつ基板取付片４２に取付ねじ４６を挿入して後方ステー９に設けた取付片４０にねじ着すればよい。
【００２０】
表装材等を交換するときには、上記取付ねじ４５を外せば、上記座クッション部１２を椅子本体１から分離することができるから、容易に交換作業をすることができる。
【符号の説明】
【００２１】
１    椅子本体
２    前脚
３    座部
４    座枠
５    後脚
６    背部
１１  座本体部
１２  座クッション部
１４  開口部
１５  取付部
１６  基板
１７  布ばね
１８  差込溝
３１  差込片
３２  保持枠
３３  開口部
３４  クッション材
３５  表装材
【図１】
0003220941.tif 000003
【図２】
0003220941.tif 000004
【図３】
0003220941.tif 000005
【図４】
0003220941.tif 000006
【図５】
0003220941.tif 000007
【図６】
0003220941.tif 000008
【図７】
0003220941.tif 000009
【図８】
0003220941.tif 000010
【図９】
0003220941.tif 000011
【図１０】
0003220941.tif 000012
【図１１】
0003220941.tif 000013